(57)【特許請求の範囲】
【請求項１】
複数の基準チャネルと、前記複数の基準チャネルのうちの一の基準チャネルの伝送レートに従属して伝送レートが定められた従属チャネルと、を受信する受信手段と、
受信された前記複数の基準チャネルのレートマッチング・アトリビュート値同士、または各基準チャネルが要求される通信品質同士を比較する比較手段と、
前記比較手段の比較結果に基づいて前記一の基準チャネルを検出する検出手段と、
検出された前記一の基準チャネルの伝送レートを判定して前記従属チャネルの伝送レートを決定する判定手段と、
を具備することを特徴とする受信装置。
【請求項２】
前記検出手段は、
前記レートマッチング・アトリビュート値が最も高い基準チャネル、または前記要求される通信品質が最も高い基準チャネルを前記一の基準チャネルとする、
ことを特徴とする請求項１記載の受信装置。
【請求項３】
複数の基準チャネルと、前記複数の基準チャネルのうちの一の基準チャネルの伝送レートに従属して伝送レートが定められた従属チャネルと、を受信する受信手段と、
受信された前記複数の基準チャネルのそれぞれの復号結果の信頼度を推定したパラメータ同士を比較する比較手段と、
前記比較手段の比較結果に基づいて前記一の基準チャネルを検出する検出手段と、
検出された前記一の基準チャネルの伝送レートを判定して前記従属チャネルの伝送レートを決定する判定手段と、
受信された各基準チャネルと当該基準チャネルに従属している可能性のある従属チャネルとの組み合わせを調査する調査手段と、
を具備し、
前記調査手段は、
前記検出手段によって検出された前記一の基準チャネルが含まれる前記組み合わせを次回の伝送レート判定において使用する、
ことを特徴とする受信装置。
【請求項４】
複数の基準チャネルと、前記複数の基準チャネルのうちのいずれかの基準チャネルの伝送レートに従属して伝送レートがそれぞれ定められた複数の従属チャネルと、を受信する受信手段と、
受信された各基準チャネルと当該基準チャネルに従属している可能性のある従属チャネルとの組み合わせを調査する調査手段と、
前記組み合わせをなす基準チャネルおよび従属チャネルを復号し、前記組み合わせごとの復号結果の信頼度を比較する比較手段と、
前記比較手段の比較結果において信頼度が最も高い前記組み合わせに基づいて他の基準チャネルおよび従属チャネルの伝送レートを再判定する再判定手段と、
を具備することを特徴とする受信装置。
【請求項５】
前記比較手段は、
各基準チャネルの伝送レートを判定する第１の判定手段と、
判定された伝送レートを用いて各基準チャネルと前記組み合わせをなす従属チャネルの伝送レートを判定する第２の判定手段と、
を具備し、
前記第１および第２の判定手段によって判定された各伝送レートを用いて、前記組み合わせをなす基準チャネルおよび従属チャネルを復号する、
ことを特徴とする請求項４記載の受信装置。
【請求項６】
前記調査手段は、
前記比較手段の比較結果において信頼度が最も高い前記組み合わせと当該組み合わせに基づいて再判定された基準チャネルおよび従属チャネルの組み合わせとを次回の伝送レート判定において使用する、
ことを特徴とする請求項４記載の受信装置。
【請求項７】
複数の基準チャネルと、前記複数の基準チャネルのうちの一の基準チャネルの伝送レートに従属して伝送レートが定められた従属チャネルと、を受信する受信ステップと、
受信された前記複数の基準チャネルのレートマッチング・アトリビュート値同士、または各基準チャネルが要求される通信品質同士を比較する比較ステップと、
前記比較ステップの結果に基づいて前記一の基準チャネルを検出する検出ステップと、
検出された前記一の基準チャネルの伝送レートを判定して前記従属チャネルの伝送レートを決定する判定ステップと、
を具備することを特徴とする伝送レート判定方法。
【請求項８】
複数の基準チャネルと、前記複数の基準チャネルのうちの一の基準チャネルの伝送レートに従属して伝送レートが定められた従属チャネルと、を受信する受信ステップと、
受信された前記複数の基準チャネルのそれぞれの復号結果の信頼度を推定したパラメータ同士を比較する比較ステップと、
前記比較ステップの結果に基づいて前記一の基準チャネルを検出する検出ステップと、
検出された前記一の基準チャネルの伝送レートを判定して前記従属チャネルの伝送レートを決定する判定ステップと、
受信された各基準チャネルと当該基準チャネルに従属している可能性のある従属チャネルとの組み合わせを調査する調査ステップと、
を具備し、
前記調査ステップは、
前記検出ステップによって検出された前記一の基準チャネルが含まれる前記組み合わせを次回の伝送レート判定において使用する、
ことを特徴とする伝送レート判定方法。
【請求項９】
複数の基準チャネルと、前記複数の基準チャネルのうちのいずれかの基準チャネルの伝送レートに従属して伝送レートがそれぞれ定められた複数の従属チャネルと、を受信する受信ステップと、
受信された各基準チャネルと当該基準チャネルに従属している可能性のある従属チャネルとの組み合わせを調査する調査ステップと、
前記組み合わせをなす基準チャネルおよび従属チャネルを復号し、前記組み合わせごとの復号結果の信頼度を比較する比較ステップと、
前記比較ステップにおいて信頼度が最も高い前記組み合わせに基づいて他の基準チャネルおよび従属チャネルの伝送レートを再判定する再判定ステップと、
を具備することを特徴とする伝送レート判定方法。
【発明の詳細な説明】
【技術分野】
【０００１】
本発明は、音声等のデータの通信を行う受信装置および伝送レート判定方法に関する。
【背景技術】
【０００２】
通信システムにおいては、受信側が通信チャネルの伝送レートを予め知っているか、または送信側が通信チャネルの伝送レート等の情報を予め受信側に通知し、受信側がこの伝送レートを用いて受信信号の復号を行うことにより通信データを得るのが一般的である。この伝送レート等の情報は、Transport Format（ＴＦ）と呼ばれる。
【０００３】
しかし、音声等のデータの場合には、送信側が送信したデータのＴＦを受信側に通知しないＢＴＦＤ（Blind Transport Format Detection）と呼ばれる方式が存在する。かかる場合、受信側では、データを正しく受信するためには通信チャネルに使用されているＴＦを判定し、判定されたＴＦを用いて受信信号の復号を行う必要がある。
【０００４】
第三世代ディジタル移動通信の標準機構である３ＧＰＰ（3rd Generation Partnership Project）の仕様「TS25.212 Ver.3.10.0」には、誤り検出符号（ＣＲＣ：Cyclic Redundancy Check）あるいは誤り訂正後のデータが持つ尤度（復号結果の確からしさ）を用いて上記のＴＦ判定を行うことが記載されている。このＴＦ判定方法は、そのチャネルのＴＦが決まると、そのチャネルに従属して他のチャネルのＴＦが一意に定まるチャネル（以下このチャネルのことを基準チャネルと呼ぶ）のＴＦをある値に仮定し、この値に基づいて単位ビット長を定め、誤り訂正後のデータのこの単位ビットの最後にあたる位置で、データの誤り訂正処理を停止する。そして、この時点で尤度情報の計算を行い、尤度情報の値が閾値以下だった場合、誤り訂正後のデータについてＣＲＣビットを用いた誤り判定の処理を行う。このとき、ＣＲＣ判定結果が「ＯＫ」だった場合、仮定したＴＦの値を真のＴＦ候補とする。そして、以上の処理を全てのＴＦの可能性について行い、最終的に選択されたＴＦを基準チャネルの真のＴＦと判断する。また、ＴＦが基準チャネルに従属して設定される上記のチャネルは従属チャネルと呼ばれ、この従属チャネルのＴＦは、基準チャネルのＴＦが数ある候補の中から一つに決定された場合、これに基づいて一意に求まる。
【０００５】
また、受信したデータに対し、考えられ得る全ての伝送レートを用いて復号処理を施すことにより、ＴＦを判定する方法もある（例えば、特許文献１参照）。この方法は、まず、考えられ得る全ての伝送レートを用いて受信データを復号する。そして、この復号後のデータを再度符号化し、元の受信値と比較することにより、不一致データ数が最も少ない伝送レートを真の伝送レートと判定する。
【特許文献１】特開平１０−１４５２４５号公報
【発明の開示】
【発明が解決しようとする課題】
【０００６】
しかしながら、３ＧＰＰの仕様では、従属チャネルが複数（具体的には、２または３）の基準チャネルに従属するように設定されている場合がある。かかる場合、いずれの基準チャネルから導かれる（判定される）ＴＦをこの従属チャネルのＴＦと判断するかによって、従属チャネルの受信品質は大きく左右される。特に、誤り訂正および復号後のデータの信頼度が低い基準チャネルに基づいてＴＦ判定を行った場合、得られたＴＦは誤ったものとなる可能性が高い。なお、３ＧＰＰには、上記の場合にどのようにＴＦ判定を行ったら良いかの記載は存在しない。
【０００７】
そこで、例えば、選択肢として考えられ得る全ての基準チャネルに対し機械的に従属チャネルのＴＦ判定を行うことが考えられる。しかし、かかる処理は、実際にはあり得ないＴＦ組み合わせに対してもＴＦ判定を行っていることとなり、非効率な処理であって処理時間が長くなるという問題がある。
【０００８】
本発明は、かかる点に鑑みてなされたものであり、従属チャネルが複数の基準チャネルに従属する場合にも、高い信頼度をもって伝送レート判定を行うことができ、受信性能を向上させることができる受信装置および伝送レート判定方法を提供することを目的とする。
【課題を解決するための手段】
【００１０】
本発明の受信装置は、複数の基準チャネルと、前記複数の基準チャネルのうちの一の基準チャネルの伝送レートに従属して伝送レートが定められた従属チャネルと、を受信する受信手段と、受信された前記複数の基準チャネルのレートマッチング・アトリビュート値同士、または各基準チャネルが要求される通信品質同士を比較する比較手段と、前記比較手段の比較結果に基づいて前記一の基準チャネルを検出する検出手段と、検出された前記一の基準チャネルの伝送レートを判定して前記従属チャネルの伝送レートを決定する判定手段と、を具備する構成を採る。
【００１１】
この構成によれば、伝送レート（ＴＦ）の判定対象となるチャネルの中に、複数の基準チャネルと従属関係を有する従属チャネルが存在する場合、各基準チャネルの復号結果の信頼度をレートマッチング・アトリビュート値または要求される通信品質（ＱｏＳ）により判断し、最も信頼できる基準チャネルのＴＦ判定結果を用いて従属チャネルのＴＦ判定を行うので、受信装置の受信性能を向上させることができる。
【００１２】
本発明の受信装置は、複数の基準チャネルと、前記複数の基準チャネルのうちの一の基準チャネルの伝送レートに従属して伝送レートが定められた従属チャネルと、を受信する受信手段と、受信された前記複数の基準チャネルのそれぞれの復号結果の信頼度を推定したパラメータ同士を比較する比較手段と、前記比較手段の比較結果に基づいて前記一の基準チャネルを検出する検出手段と、検出された前記一の基準チャネルの伝送レートを判定して前記従属チャネルの伝送レートを決定する判定手段と、受信された各基準チャネルと当該基準チャネルに従属している可能性のある従属チャネルとの組み合わせを調査する調査手段と、を具備し、前記調査手段は、前記検出手段によって検出された前記一の基準チャネルが含まれる前記組み合わせを次回の伝送レート判定において使用する構成を採る。
【００１３】
この構成によれば、全ての基準チャネルおよび従属チャネルのＴＦ判定を行った際に、実際には存在しないＴＦ組み合わせが選択されることを回避できる。
【００１４】
本発明の受信装置は、複数の基準チャネルと、前記複数の基準チャネルのうちのいずれかの基準チャネルの伝送レートに従属して伝送レートがそれぞれ定められた複数の従属チャネルと、を受信する受信手段と、受信された各基準チャネルと当該基準チャネルに従属している可能性のある従属チャネルとの組み合わせを調査する調査手段と、前記組み合わせをなす基準チャネルおよび従属チャネルを復号し、前記組み合わせごとの復号結果の信頼度を比較する比較手段と、前記比較手段の比較結果において信頼度が最も高い前記組み合わせに基づいて他の基準チャネルおよび従属チャネルの伝送レートを再判定する再判定手段と、を具備する構成を採る。
【００１５】
本発明の受信装置は、前記比較手段は、各基準チャネルの伝送レートを判定する第１の判定手段と、判定された伝送レートを用いて各基準チャネルと前記組み合わせをなす従属チャネルの伝送レートを判定する第２の判定手段と、を具備し、前記第１および第２の判定手段によって判定された各伝送レートを用いて、前記組み合わせをなす基準チャネルおよび従属チャネルを復号する構成を採る。
【００１６】
これらの構成によれば、基準チャネルおよび従属チャネル双方の復号結果のもつ尤度を用いて、複数の基準チャネルと従属関係にある従属チャネルのＴＦ判定を行うことが可能となる。また、基準チャネルおよび従属チャネルのＴＦ判定の信頼性向上を図ることができる。
【００１７】
本発明の受信装置は、前記調査手段は、前記比較手段の比較結果において信頼度が最も高い前記組み合わせと当該組み合わせに基づいて再判定された基準チャネルおよび従属チャネルの組み合わせとを次回の伝送レート判定において使用する構成を採る。
【００１８】
この構成によれば、全ての基準チャネルおよび従属チャネルのＴＦ判定を行った際に、実際には存在しないＴＦ組み合わせが選択されることを回避できる。
【００１９】
本発明の伝送レート判定方法は、複数の基準チャネルと、前記複数の基準チャネルのうちの一の基準チャネルの伝送レートに従属して伝送レートが定められた従属チャネルと、を受信する受信ステップと、受信された前記複数の基準チャネルのレートマッチング・アトリビュート値同士、または各基準チャネルが要求される通信品質同士を比較する比較ステップと、前記比較ステップの結果に基づいて前記一の基準チャネルを検出する検出ステップと、検出された前記一の基準チャネルの伝送レートを判定して前記従属チャネルの伝送レートを決定する判定ステップと、を具備するようにした。
【００２０】
この方法によれば、伝送レートの判定対象となるチャネルの中に、複数の基準チャネルと従属関係を有する従属チャネルが存在する場合、各基準チャネルの復号結果の信頼度をレートマッチング・アトリビュート値等により判断し、最も信頼できる基準チャネルのＴＦ判定結果を用いて従属チャネルのＴＦ判定を行うので、受信装置の受信性能を向上させることができる。
【００２１】
本発明の伝送レート判定方法は、複数の基準チャネルと、前記複数の基準チャネルのうちのいずれかの基準チャネルの伝送レートに従属して伝送レートがそれぞれ定められた複数の従属チャネルと、を受信する受信ステップと、受信された各基準チャネルと当該基準チャネルに従属している可能性のある従属チャネルとの組み合わせを調査する調査ステップと、前記組み合わせをなす基準チャネルおよび従属チャネルを復号し、前記組み合わせごとの復号結果の信頼度を比較する比較ステップと、前記比較ステップにおいて信頼度が最も高い前記組み合わせに基づいて他の基準チャネルおよび従属チャネルの伝送レートを再判定する再判定ステップと、を具備するようにした。
【００２２】
この方法によれば、基準チャネルおよび従属チャネル双方の復号結果のもつ尤度を用いて、複数の基準チャネルと従属関係にある従属チャネルのＴＦ判定を行うことが可能となる。また、基準チャネルおよび従属チャネルのＴＦ判定の信頼性向上を図ることができる。
【発明の効果】
【００２３】
以上説明したように、本発明によれば、従属チャネルが複数の基準チャネルに従属する場合にも、高い信頼度をもって伝送レート判定を行うことができる。
【発明を実施するための最良の形態】
【００２４】
本発明の骨子は、複数の基準チャネルに従属している従属チャネルは、デコード結果の信頼度が高い基準チャネルに基づいて伝送レートを決定することにより、伝送レート判定結果の信頼性を向上させることである。
【００２５】
以下、本発明の実施の形態について、図面を参照して詳細に説明する。なお、ここでは、本発明に係る受信装置が、音声データを受信する場合を例にとって説明する。
【００２６】
（実施の形態１）
図１は、本発明の実施の形態１に係る受信装置の主要な構成を示すブロック図である。ここでは、この受信装置が無線通信システムに適用され、トランスポート・チャネルと呼ばれる無線回線を介し音声データを受信する場合を例にとって説明する。このトランスポート・チャネルは、送信フレームごとにビットレート（伝送レート）が異なるという特徴を有している。
【００２７】
この受信装置は、アンテナ１０１、無線受信部１０２、復調部１０３、復号部１０４、およびＴＦ判定装置１１０を有する。そして、ＴＦ判定装置１１０は、従属チャネル調査部１１１、ＲＭ比較部１１２、最大ＲＭ基準チャネル検出部１１３、およびＴＦ判定部１１４を有する。
【００２８】
無線受信部１０２は、アンテナ１０１を介し受信された信号に対し、ダウンコンバート、Ａ／Ｄ変換等の所定の無線受信処理を施し、復調部１０３に出力する。復調部１０３は、無線受信部１０２から出力された信号を復調し、復号部１０４に出力すると共に、復調後のデータをＴＦ判定装置１１０にも出力する。復号部１０４は、ＴＦ判定装置１１０から通知されるＴＦを用いて、復調部１０３から出力される復調後のデータに対し、誤り訂正および復号の処理を施し、受信データを得る。ＴＦ判定装置１１０は、復調部１０３から出力されたデータのＴＦを判定し、判定結果を復号部１０４に出力する。
【００２９】
次いで、ＴＦ判定装置１１０の動作について、図２および図３を用いて具体的に説明する。
【００３０】
図２は、基準チャネルと従属チャネルの関係の一例を示す図であり、図３は、ＴＦ判定装置１１０の伝送レート判定処理の手順について示すフロー図である。なお、Ｔｒｃｈはトランスポート・チャネルの略、ＲＭはレートマッチングの略、ＴＦは Transport Format の略である。また、この図において、矢印は各ＴｒｃｈのＴＦ同士の関係を示している。すなわち、矢印で結ばれたＴｒｃｈのＴＦは、矢印の先のＴｒｃｈと従属関係にあることを示している。
【００３１】
ここでは、Ｔｒｃｈ＃０〜Ｔｒｃｈ＃２が基準チャネル、Ｔｒｃｈ＃３〜Ｔｒｃｈ＃４が従属チャネルであり、例えば、従属チャネルであるＴｒｃｈ＃３は、基準チャネルＴｒｃｈ＃０〜Ｔｒｃｈ＃１に従属している（図２参照）。
【００３２】
まず、従属チャネル調査部１１１は、伝送レート判定の対象となるチャネルの中に、複数の基準チャネルと従属関係を有する従属チャネルが存在するか否か調査する（ＳＴ１０１０）。調査の結果、該当する従属チャネルが存在した場合、従属チャネル調査部１１１は、この従属チャネルをＲＭ比較部１１２に通知する。ここでは、前述の通り、Ｔｒｃｈ＃３が基準チャネルＴｒｃｈ＃０およびＴｒｃｈ＃１の両方と従属関係を持っているので、Ｔｒｃｈ＃３がＲＭ比較部１１２に通知される。
【００３３】
ＲＭ比較部１１２は、従属チャネル調査部１１１から通知された従属チャネルに対応する各基準チャネルのレートマッチング・アトリビュート値を相互に比較し（ＳＴ１０２０）、比較結果を最大ＲＭ基準チャネル検出部１１３に通知する。ここでは、Ｔｒｃｈ＃０とＴｒｃｈ＃１がこの基準チャネルに該当し、Ｔｒｃｈ＃０とＴｒｃｈ＃１のレートマッチング・アトリビュート値ＲＭ＿０とＲＭ＿１の比較が行われる。
【００３４】
なお、レートマッチング・アトリビュート値とは、以下のレートマッチング処理において使用される重み付け用パラメータのことである。レートマッチング処理では、送信側は、各チャネルの符号化データのデータサイズが１フレーム内に収まるように、データを繰り返し（レピティション）若しくは削除（パンクチャ）する調節を行う。そして、受信側は、送信側で繰り返し若しくは削除された分だけデータを削除または繰り返す調節を行う。この処理において、レートマッチング・アトリビュート値は、各トランスポート・チャネルのデータを１つのフレーム内に収めるために増減させるデータ数を決定する際に用いられる。
【００３５】
最大ＲＭ基準チャネル検出部１１３は、ＲＭ比較部１１２から通知された比較結果から、最大のレートマッチング・アトリビュート値を有する基準チャネルを検出し（ＳＴ１０３０）、ＴＦ判定部１１４に出力する。
【００３６】
なお、図２の例では、複数の基準チャネルと従属関係を有している従属チャネル、すなわち従属チャネル調査部１１１において検出される従属チャネルは、Ｔｒｃｈ＃３だけであるが、以上のループＡの処理（ＳＴ１０２０、ＳＴ１０３０）は、従属チャネル調査部１１１において検出された従属チャネルの全てに対し行われる。
【００３７】
ＴＦ判定部１１４は、以下のループＢの処理（ＳＴ１０４０〜ＳＴ１０８０）を全ての基準チャネルに対し行う。まず、ＴＦ判定部１１４は、基準チャネルが、複数の基準チャネルを持つ従属チャネルと従属関係にあるか判断し、また、この従属チャネルの従属元の複数の基準チャネルの中で最大のレートマッチング・アトリビュート値を有する基準チャネルか否か判断する（ＳＴ１０４０）。最大のレートマッチング・アトリビュート値を有する基準チャネルであった場合、この基準チャネルのＴＦ判定を行う（ＳＴ１０５０）。そして、この結果を用い、従属チャネルのＴＦ判定を行う（ＳＴ１０６０）。ＳＴ１０４０において、最大のレートマッチング・アトリビュート値を有する基準チャネルに該当しなかった場合、この基準チャネルに対してはＴＦ判定を行った後（ＳＴ１０７０）、この基準チャネルにのみ従属している従属チャネルが存在する場合には、その従属チャネルのＴＦ判定を行う（ＳＴ１０８０）。
【００３８】
なお、ＳＴ１０１０において、伝送レート判定の対象となるチャネルの中に複数の基準チャネルと従属関係を有する従属チャネルが存在しない場合には、上記のＳＴ１０２０〜ＳＴ１０８０の処理は行われない。かかる場合、その旨の通知を従属チャネル調査部１１１から受けたＴＦ判定部１１４は、各基準チャネルのＴＦ判定を行い（ＳＴ１１１０）、その結果を基に従属チャネルのＴＦ判定を行い（ＳＴ１１２０）、復号部１０４に出力する。
【００３９】
ここで、レートマッチング・アトリビュート値が大きいということは、他の基準チャネルよりもその基準チャネルのデータのレピティション率が高い、もしくはパンクチャ率が低いということを示している。そして、レピティション率およびパンクチャ率は受信データの受信品質に基づいて定められる値であるので、レートマッチング・アトリビュート値が大きいということはとりもなおさず、そのデータに対し誤り訂正および復号の処理を施した後のデータの信頼度が高いということを表している。
【００４０】
このように、本実施の形態によれば、伝送レートの判定対象となるチャネルの中に、複数の基準チャネルと従属関係を有する従属チャネルが存在する場合、各基準チャネルの復号結果の信頼度をレートマッチング・アトリビュート値により判断（推定）し、最も信頼できる基準チャネルのＴＦ判定結果を用いて従属チャネルのＴＦ判定を行うので、受信装置の受信性能を向上させることができる。
【００４１】
なお、ここでは、本実施の形態に係る受信装置が無線通信システムに適用される場合を例にとって説明したが、この受信装置は有線通信システムにおいても適用可能である。図４は、この受信装置が無線通信システムに適用された場合の構成の一例を示したブロック図である。アンテナ１０１がなくなり無線受信部１０２が受信処理部１０２ａに変わっているが、基本的構成は無線通信システムと同様である。
【００４２】
（実施の形態２）
本発明の実施の形態２に係る受信装置は、実施の形態１に示した受信装置と同様の基本的構成を有するので、実施の形態１と異なる構成であるＴＦ判定装置２１０の主要な構成のみを図５に示す。なお、ＴＦ判定装置２１０も、基本的構成はＴＦ判定装置１１０と同様であるので、同一の構成要素には同一の符号を付し、その説明を省略する。
【００４３】
本実施の形態の特徴は、ＴＦ判定装置２１０がＱｏＳ比較部２１２および最大ＱｏＳ基準チャネル検出部２１３を有し、レートマッチング・アトリビュート値の代わりに個々のチャネルに対して要求される通信品質（ＱｏＳ：Quality of Service）の高さを用いてＴＦ判定を行うことである。
【００４４】
図６は、上記構成を有する受信装置の伝送レート判定処理の手順を示すフロー図である。なお、この伝送レート判定処理は、基本的に図３に示した伝送レート判定処理と同様の手順からなり、同一の手順には同一の符号を付し、その説明を省略する。
【００４５】
ＳＴ１０１０の調査の結果、該当する従属チャネルが存在した場合、従属チャネル調査部１１１は、この従属チャネルをＱｏＳ比較部２１２に通知する。ＱｏＳ比較部２１２は、従属チャネル調査部１１１から通知された従属チャネルに対応する各基準チャネルのＱｏＳを相互に比較し（ＳＴ２０２０）、比較結果を最大ＱｏＳ基準チャネル検出部２１３に通知する。最大ＱｏＳ基準チャネル検出部２１３は、ＱｏＳ比較部２１２から通知された比較結果から、最大のＱｏＳが要求される基準チャネルを検出し（ＳＴ２０３０）、ＴＦ判定部１１４に出力する。
【００４６】
以上のループＣの処理（ＳＴ２０２０、ＳＴ２０３０）は、複数の基準チャネルと従属関係を有している従属チャネルの全てに対し行われる。
【００４７】
ＴＦ判定部１１４は、以下のループＤの処理（ＳＴ２０４０、ＳＴ１０５０〜ＳＴ１０８０）を全ての基準チャネルに対し行う。なお、このループＤの処理は、ループＢのＳＴ１０４０の処理が、最大のＱｏＳが要求される基準チャネルか否か判断する処理（ＳＴ２０４０）に変わっただけであるので、説明を省略する。
【００４８】
このように、本実施の形態によれば、伝送レートの判定対象となるチャネルの中に、複数の基準チャネルと従属関係を有する従属チャネルが存在する場合、各基準チャネルの復号結果の信頼度を各基準チャネルが要求されるＱｏＳにより判断（推定）し、最も信頼できる基準チャネルのＴＦ判定結果を用いて従属チャネルのＴＦ判定を行うので、受信装置の受信性能を向上させることができる。
【００４９】
（実施の形態３）
本発明の実施の形態３に係る受信装置は、実施の形態１に示した受信装置と同様の基本的構成を有するので、実施の形態１と異なる構成であるＴＦ判定装置３１０の主要な構成のみを図７に示す。なお、実施の形態１に示したＴＦ判定装置１１０と同一の構成要素には同一の符号を付し、その説明を省略する。
【００５０】
本実施の形態の特徴は、ＴＦ判定装置３１０が、尤度値算出部３０１、メモリ３０２、従属グループ調査部３０３、尤度値比較部３０４、およびＴＦ再判定部３０５を有することである。
【００５１】
次いで、ＴＦ判定装置３１０の動作について、図８、図９、および図１０を用いて説明する。
【００５２】
図８は、ＴＦ判定装置３１０の伝送レート判定処理の手順について示すフロー図である。なお、図３に示した伝送レート判定処理と同一の手順には同一の符号を付し、その説明を省略する。
【００５３】
従属チャネル調査部１１１において、複数の基準チャネルに従属する従属チャネルが存在した場合（ＳＴ１０１０）、ＴＦ判定装置３１０は、ループＥの処理（ＳＴ３０１０〜３０４０）を全ての基準チャネルに対して行う。
【００５４】
ＴＦ判定部１１４ａは、基準チャネルに対してＴＦ判定処理を行う（ＳＴ３０１０）。そして、この基準チャネルのＴＦ判定結果から、この基準チャネルに従属する従属チャネルのＴＦを判定し、この判定結果（基準チャネルのＴＦと従属チャネルのＴＦとのＴＦ組み合わせ）を尤度値算出部３０１に出力する（ＳＴ３０２０）。なお、このＴＦ判定部１１４ａは、実施の形態１で示したＴＦ判定部１１４と同様の機能を有しているものであるが、実施の形態１とはＴＦ判定装置内における位置が異なっている。
【００５５】
尤度値算出部３０１は、求まった基準チャネルのＴＦを用いて基準チャネルに対して誤り訂正および復号の処理を施し、この復号結果の確からしさ（尤度値）を算出してメモリ３０２に記憶する（ＳＴ３０３０）。同様に、従属チャネルに対しても先に求まった従属チャネルのＴＦを用いて復号処理を施し、尤度値を算出してメモリ３０２に記憶する（ＳＴ３０４０）。
【００５６】
以上の処理を全ての基準チャネルに対して行うことにより、ループＥは終了する。
【００５７】
一方、従属グループ調査部３０３は、復調部１０３から出力されるデータを調査し、ある従属チャネルと、この従属チャネルの従属元である（可能性のある）基準チャネルと、をまとめて１つのグループとし（従属している可能性のある基準チャネルが複数存在する場合には、それぞれに対してグループを形成する）、この結果を尤度値比較部３０４に出力する（ＳＴ３０５０）。例えば、基準チャネルと従属チャネルの関係が図９に示すような状況にあった場合、従属チャネルＴｒｃｈ＃３は、基準チャネルＴｒｃｈ＃０およびＴｒｃｈ＃１の双方と従属関係にあるため、それぞれ２つのグループ（Ｇ１、Ｇ２）を形成する。一方、従属チャネルＴｒｃｈ＃４は、基準チャネルＴｒｃｈ＃２のみと従属関係にあるため、１つのグループ（Ｇ３）を形成する。
【００５８】
尤度値比較部３０４は、各基準チャネルの尤度値をメモリ３０２から読み出し、従属グループ調査部３０３から通知された各グループ同士で比較し（ＳＴ３０６０）、最大の尤度値を持つグループの基準チャネルと従属チャネルのＴＦ組み合わせを真のＴＦ組み合わせとする。
【００５９】
ＴＦ再判定部３０５は、最大の尤度値を有する基準チャネルのＴＦを用いて他の基準チャネルおよびこれに従属する従属チャネルのＴＦを再判定する（ＳＴ３０７０）。すなわち、最大尤度を有する基準チャネルグループの組み合わせを含むＴＦＣ（Transport Format Combination：各チャネルのＴＦの組み合わせのこと）から、他の基準チャネルグループのＴＦ組み合わせを求め、その結果が、ＳＴ３０１０およびＳＴ３０２０において求めたＴＦ組み合わせと異なる場合、新たに求めたＴＦを真のＴＦ判定結果として登録する。
【００６０】
以上の処理の具体例を図１０を用いて説明する。図１０は、図９に示した基準チャネルと従属チャネルの従属関係を表にまとめたものである。
【００６１】
例えば、基準チャネルＴｒｃｈ＃０に対しＴＦ判定を行ったところ、ＴＦ＃０−１がＴＦ判定結果として算出されたとすると、かかる場合、従属チャネルであるＴｒｃｈ＃３のＴＦは、ＴＦ＃３−１となる。この２つのＴＦを用いて基準チャネル（Ｔｒｃｈ＃０）および従属チャネル（Ｔｒｃｈ＃３）のデータの復号処理を行い、復号結果の尤度を記憶する。一方、基準チャネルであるＴｒｃｈ＃１についてもＴＦ判定を行い、その結果、ＴＦ＃１−０が選択されたとすると、従属チャネルであるＴｒｃｈ＃３のＴＦはＴＦ＃３−０となる。よって、ＴＦ＃１−０およびＴＦ＃３−０を用いて復号処理を行い、復号結果の尤度を求める。そして、Ｔｒｃｈ＃０の尤度（ＴＦ＃０−１およびＴＦ＃３−１を基に求めた尤度）とＴｒｃｈ＃１の尤度（ＴＦ＃１−０およびＴＦ＃３−０を基に求めた尤度）を比較し、Ｔｒｃｈ＃０の尤度の方が大きいとすれば、Ｔｒｃｈ＃３のＴＦはＴＦ＃３−１となるので、Ｔｒｃｈ＃１のＴＦはＴＦ＃１−１と再判定され、この値に変更される。
【００６２】
なお、１つの基準チャネルとのみ従属関係にある従属チャネルの基準チャネル（図９の例では、Ｔｒｃｈ＃２）については、基準チャネルおよび従属チャネルの尤度計算を行う必要がない。よって、図８のＳＴ３０５０の従属グループの調査において、Ｔｒｃｈ＃２が含まれる組み合わせはグループとして検出されない。
【００６３】
このように、本実施の形態によれば、伝送レート判定の対象となるチャネルの中に複数の基準チャネルと従属関係を有する従属チャネルが存在する場合、ある従属チャネルとこの従属チャネルの従属元である基準チャネルとをまとめて１つのグループとし、グループ間で復号結果の確からしさ（尤度値）を比較し、尤度値が最大のグループのＴＦが含まれるＴＦＣに基づいてその他のグループのＴＦを再判定する。
【００６４】
これにより、基準チャネルおよびそれに従属する従属チャネル双方のＴＦ判定結果に基づいて、最も信頼できるＴＦＣを決定するので、高い信頼度をもって従属チャネルのＴＦ判定を行うことができ、さらに、基準チャネルのＴＦ判定の精度も向上させることができる。
【００６５】
（実施の形態４）
本発明の実施の形態４に係る受信装置は、実施の形態１に示した受信装置と同様の基本的構成を有するので、実施の形態１と異なる構成であるＴＦ判定装置４１０の主要な構成のみを図１１に示す。なお、ＴＦ判定装置４１０も、基本的構成はＴＦ判定装置１１０と同様であるので、同一の構成要素には同一の符号を付し、その説明を省略する。
【００６６】
本実施の形態の特徴は、従属チャネルのＴＦを判定する際に、あり得ないＴＦの組み合わせを排除することである。
【００６７】
図１２は、上記構成を有する受信装置の伝送レート判定処理の手順について示すフロー図である。なお、図３に示した伝送レート判定処理と同一の手順には同一の符号を付し、その説明を省略する。
【００６８】
従属チャネル調査部１１１において、複数の基準チャネルに従属する従属チャネルが存在した場合（ＳＴ１０１０）、ＴＦ判定装置４１０は、ループＦの処理（ＳＴ４０１０〜４０６０）を全ての基準チャネルに対して行う。
【００６９】
有効ＴＦＣ数検出部４０１は、有効ＴＦＣ数が２以上存在するか否か検出する（ＳＴ４０１０）。ここで、有効ＴＦＣ数とは、ＴＦ判定処理を行った結果、ある基準チャネルおよび従属チャネルのＴＦが決定された場合、ＴＦＣＳ（ＴＦＣ Ｓｅｔ：ＴＦＣの集合のこと。図１０に示した各ＴｒｃｈのＴＦ組み合わせの集合を示す。）の中で上述のＴＦ判定で決定されたＴＦを含むＴＦＣの数のことである。なお、ＴＦ判定処理を行う前の有効ＴＦＣ数は、ＴＦＣＳに含まれる全ＴＦＣ数のことを示す。ＳＴ４０１０において、有効ＴＦＣ数が２以上存在する場合、ＴＦ判定部１１４は、基準チャネルおよび従属チャネルのＴＦ判定処理を行う（ＳＴ４０２０、ＳＴ４０３０）。
【００７０】
ＴＦＣＳ更新部４０２は、ＴＦ判定部１１４で求まった基準チャネルおよびこれに従属する従属チャネルのＴＦが含まれるＴＦＣをＴＦＣＳの中から検索し、該当するＴＦＣを新規のＴＦＣＳとして更新登録する（ＳＴ４０４０）。そして、次回の基準チャネルおよび従属チャネルのＴＦ判定処理には、更新されたＴＦＣＳが用いられる。
【００７１】
このように、本実施の形態によれば、個々の基準チャネルが独立でＴＦ判定処理を行う場合でも、今回求まったＴＦＣＳを用いて、次回のＴＦ組み合わせを選択するので、ＴＦ判定においてＴＦＣＳ中に存在しないＴＦ組み合わせを選択することを防止できる。すなわち、本実施の形態によれば、個々の基準チャネルのＴＦ判定結果と、そこから導かれる従属チャネルのＴＦ判定結果との組み合わせが、実際に存在しないＴＦ組み合わせとなることを防止することができる。
【００７２】
なお、ＴＦ判定を行う際にどの基準チャネルから優先してＴＦ判定の処理を行うかについては任意の順番で良い。
【００７３】
本発明に係る受信装置は、上記の実施の形態１〜４に限定されず、種々変更して実施することが可能である。例えば、上記の実施の形態１〜４は、適宜組み合わせて実施することが可能である。
【００７４】
本発明に係る受信装置は、移動体通信システムにおける移動局装置または基地局装置に搭載することが可能であり、これにより上記と同様の作用効果を有する移動局装置または基地局装置を提供することができる。
【００７５】
また、ここでは、通信されるデータが音声である場合を例にとって説明したが、本発明は、通信されるデータが映像等の他のマルチメディアデータである場合においても利用可能である。
【産業上の利用可能性】
【００７６】
本発明に係る伝送レート判定方法は、受信装置の受信性能を向上させる効果を有し、例えば、移動体通信システムにおける基地局装置等の用途に適用できる。
【図面の簡単な説明】
【００７７】
【図１】実施の形態１に係る受信装置の主要な構成を示すブロック図
【図２】基準チャネルと従属チャネルの関係の一例を示す図
【図３】実施の形態１に係るＴＦ判定装置の伝送レート判定処理の手順について示すフロー図
【図４】実施の形態１に係る受信装置が無線通信システムに適用された場合の構成の一例を示したブロック図
【図５】実施の形態２に係るＴＦ判定装置の主要な構成を示すブロック図
【図６】実施の形態２に係る受信装置の伝送レート判定処理の手順を示すフロー図
【図７】実施の形態３に係るＴＦ判定装置の主要な構成を示すブロック図
【図８】実施の形態３に係るＴＦ判定装置の伝送レート判定処理の手順について示すフロー図
【図９】基準チャネルと従属チャネルの従属関係を示した図
【図１０】基準チャネルと従属チャネルの従属関係を表にまとめた図
【図１１】実施の形態４に係るＴＦ判定装置の主要な構成を示すブロック図
【図１２】実施の形態４に係る受信装置の伝送レート判定処理の手順について示すフロー図
【符号の説明】
【００７８】
１０４  復号部
１１０、２１０、３１０、４１０  ＴＦ判定装置
１１１  従属チャネル調査部
１１２  ＲＭ比較部
１１３  最大ＲＭ基準チャネル検出部
１１４、１１４ａ  ＴＦ判定部
２１２  ＱｏＳ比較部
２１３  最大ＱｏＳ基準チャネル検出部
３０１  尤度値算出部
３０３  従属グループ調査部
３０４  尤度値比較部
３０５  ＴＦ再判定部
４０１  有効ＴＦＣ数検出部
４０２  ＴＦＣＳ更新部
【図１】
0003670269.tif 000002
【図２】
0003670269.tif 000003
【図３】
0003670269.tif 000004
【図４】
0003670269.tif 000005
【図５】
0003670269.tif 000006
【図６】
0003670269.tif 000007
【図７】
0003670269.tif 000008
【図８】
0003670269.tif 000009
【図９】
0003670269.tif 000010
【図１０】
0003670269.tif 000011
【図１１】
0003670269.tif 000012
【図１２】
0003670269.tif 000013